(57)【要約】【課題】  本発明は、作業性が良く、誘発目地及び壁面下地材の両者を形成でき、かつコンクリート躯体への漏水を抑制できる誘発目地部材、コンクリート躯体の誘発目地構造、及びその形成方法を提供する。【解決手段】  コンクリート躯体５の仕上げ面に形成される誘発目地構造は、コンクリート躯体５の仕上げ面に生じやすいひび割れを集中誘発するために形成した誘発目地６と、誘発目地部材１により構成され、誘発目地部材１は、表面がコンクリート躯体５の仕上げ面と滑らかに連続する壁面下地材２、壁面下地材２の裏面に固着される止水シート３、止水シート３に固定されるとともに誘発目地６に嵌合される透水目地材４により構成されており、誘発目地６に対して止水シート３と透水目地材４の両者を組み合わせた止水機能が付与されるため、誘発目地６にひび割れが生じても高い精度で水分の侵入を抑制できる。【選択図】  図１
2005061178.tif 000002
【特許請求の範囲】
【請求項１】
コンクリート躯体の仕上げ面に対して、表面が略同一平面を形成するようにコンクリート躯体に配置される壁面下地材と、
伸縮に係る変形性能を有し、該壁面の裏面に一方の面を面どうしで接するように固着手段を介して固着される止水シートと、
表面に付着する水分を、毛細管現象により内方へ取り込む吸水力を伴う透水性を有し、該止水シートの他方の面に固定手段を介して固定されるとともに、コンクリート躯体の所望の位置に、クラックを誘発させるために形成する誘発目地に嵌合する透水目地材により構成されることを特徴とする誘発目地部材。
【請求項２】
請求項１に記載の誘発目地部材において、
前記壁面下地材に、コンクリート部材が用いられることを特徴とする誘発目地部材。
【請求項３】
請求項２に記載の誘発目地部材において、
前記壁面下地材の表面に、粗面が形成されることを特徴とする誘発目地部材。
【請求項４】
請求項１に記載の誘発目地部材において、
前記壁面下地材に、外壁仕上げ材をコンクリート躯体の仕上げ面に安定して定着させるための後張り下地材が用いられることを特徴とする誘発目地部材。
【請求項５】
請求項１から４に記載の誘発目地部材において、
透水目地材が、筒状の排水ドレンと、
該排水ドレンの外周面を一様に覆うように備えられ、表面に付着する水分を、毛細管現象により前記排水ドレンに誘導する吸水材により構成されることを特徴とする誘発目地部材。
【請求項６】
請求項１から５のいずれかに記載の誘発目地部材を用いたコンクリート躯体の誘発目地構造であって、
コンクリート躯体の仕上げ面上で所望の位置に、ひび割れを集中誘発するための誘発目地を形成し、
該誘発目地に、前記誘発目地部材を構成する透水目地材を嵌合するとともに、前記止水シートとコンクリート躯体とが面どうしで接する状態で、前記壁面下地材の表面が、コンクリート躯体の仕上げ面と略同一平面を形成するように、前記誘発目地部材をコンクリート躯体に配置することにより構成されることを特徴とするコンクリート躯体の誘発目地構造。
【請求項７】
コンクリート躯体の仕上げ面上で所望の位置に形成するコンクリート躯体の誘発目地構造の形成方法であって、
コンクリート打込み型枠の内方で、コンクリート躯体の仕上げ面が形成される面の所望の位置に、前記壁面材の表面を当接させて誘発目地部材を仮留め手段を介して仮留めした後、
コンクリート躯体を構成するコンクリートを打設することを特徴とするコンクリート躯体の誘発目地構造の形成方法。
【発明の詳細な説明】
【技術分野】
【０００１】
本発明は、誘発目地部材、コンクリート躯体の誘発目地構造、及びその形成方法に関する。
【背景技術】
【０００２】
従来より、コンクリート躯体の仕上げ面は、乾燥収縮ひずみや日射・降雨の繰り返しによる温・湿度変化に伴いひび割れが発生する。このようなコンクリートのひび割れ対策としては、いろいろな方法があるが、鉛直方向にひび割れ誘発目地を入れる方法が、一般に用いられている。
【０００３】
該誘発目地とは、あらかじめコンクリート打込み型枠に目地棒を取り付けた上でコンクリートを打ち込み、コンクリート躯体の仕上げ面の所望位置に、断面欠損としてひび割れを集中させた目地のことである。こうして形成された誘発目地には、脱型後に後施工としてシーリング材を施工する、もしくはコンクリート躯体の内方で誘発目地と対向する位置に止水材を埋設しておく等の止水処理を施し、ひび割れ部からの水の侵入を防止している（特許文献１，特許文献２参照）。
【特許文献１】特開平１０−３７３２０号公報（図２参照）
【特許文献２】特開平０８−２０９８１３号公報（図１参照）
【発明の開示】
【発明が解決しようとする課題】
【０００４】
しかし、このようなコンクリート躯体の仕上げ面への誘発目地の形成方法では、仕上げ面に対して、外壁仕上げ材や壁面下地材を一体的に設置したい場合に、コンクリート打込み型枠に取り付けた目地棒が、外壁仕上げ材や壁面下地材に覆われることのないよう、目地棒を避けてコンクリート打込み型枠の内方にこれらを仮留めする必要があり、作業が繁雑となりやすく、施工性に劣っていた。
【０００５】
本発明は、上記した従来の問題が考慮されたものであり、作業性が良く、誘発目地及び壁面下地材の両者を容易に形成でき、かつコンクリート躯体への漏水を確実に抑制できる誘発目地部材、コンクリート躯体の誘発目地構造、及びその形成方法を提供することを目的としている。
【課題を解決するための手段】
【０００６】
請求項１記載の誘発目地部材は、コンクリート躯体の仕上げ面に対して、表面が略同一平面を形成するようにコンクリート躯体に配置される壁面下地材と、伸縮に係る変形性能を有し、該壁面の裏面に一方の面を面どうしで接するように固着手段を介して固着される止水シートと、表面に付着する水分を、毛細管現象により内方へ取り込む吸水力を伴う透水性を有し、該止水シートの他方の面に固定手段を介して固定されるとともに、コンクリート躯体の所望の位置に、クラックを誘発させるために形成する誘発目地に嵌合する透水目地材により構成されることを特徴としている。
【０００７】
請求項２記載の誘発目地部材は、前記壁面下地材に、コンクリート部材が用いられることを特徴としている。
【０００８】
請求項３記載の誘発目地部材は、前記壁面下地材の表面に、粗面が形成されることを特徴としている。
【０００９】
請求項４記載の誘発目地部材は、前記壁面下地材に、外壁仕上げ材をコンクリート躯体の仕上げ面に安定して定着させるための後張り下地材が用いられることを特徴としている。
【００１０】
請求項５記載の誘発目地部材は、透水目地材が、筒状の排水ドレンと、該排水ドレンの外周面を一様に覆うように備えられ、表面に付着する水分を、毛細管現象により前記排水ドレンに誘導する吸水材により構成されることを特徴としている。
【００１１】
請求項６記載のコンクリート躯体の誘発目地構造は、請求項１から５のいずれかに記載の誘発目地部材を用いたコンクリート躯体の誘発目地構造であって、コンクリート躯体の仕上げ面上で所望の位置に、ひび割れを集中誘発するために形成された誘発目地に、前記誘発目地部材を構成する透水目地材を嵌合するとともに、前記止水シートとコンクリート躯体とが面どうしで接する状態で、前記壁面下地材の表面が、コンクリート躯体の仕上げ面と略同一平面を形成するように、前記誘発目地部材がコンクリート躯体に配置されることにより構成されることを特徴としている。
【００１２】
請求項７記載のコンクリート躯体の誘発目地構造の形成方法は、コンクリート躯体の仕上げ面上で所望の位置に形成するコンクリート躯体の誘発目地構造の形成方法であって、コンクリート打込み型枠の内方で、コンクリート躯体の仕上げ面が形成される面の所望の位置に、前記壁面下地材の表面を当接させて誘発目地部材を仮留め手段を介して仮留めした後、コンクリート躯体を構成するコンクリートを打設することを特徴としている。
【発明の効果】
【００１３】
請求項１に記載の誘発目地部材によれば、壁面下地材、止水シート、及び透水目地材が一体に備えられていることから、該誘発目地部材をコンクリート打込み型枠の所望位置に配置し、コンクリートを打設するのみで、コンクリート躯体に対して、仕上げ面の所望位置に誘発目地、誘発目地への止水構造、及び仕上げ面と一体となった壁面下地材を構築できるため、簡略な構成で作業性が良く、施工性を向上することが可能となる。
【００１４】
請求項２に記載の誘発目地部材によれば、壁面下地材にコンクリート部材が用いられていることから、外見上は誘発目地を有しない他のコンクリート躯体の仕上げ面と比較しても遜色がないため、コンクリート躯体の外壁を打放し仕上げ、または塗装仕上げとしたい場合にも、所望の位置に誘発目地を形成することが可能となる。
【００１５】
請求項３に記載の誘発目地部材によれば、壁面下地材の表面に粗面が形成されることから、コンクリート躯体の外壁を左官仕上げ、またはタイルとしたい場合にも、所望の位置に誘発目地を形成することが可能となる。
【００１６】
請求項４に記載の誘発目地部材によれば、壁面下地材に後張り下地材が用いられていることから、後張り下地材に安定して外壁仕上げ材を固定できるため、コンクリート躯体と外壁仕上げ材とを容易に一体化することが可能となる。
【００１７】
請求項５に記載の誘発目地部材によれば、誘発目地近傍に漏水が生じた際にも、透水目地材の表面に備えられた吸水材に効率よく水分を吸水され、排水ドレンに回収されることから、ひび割れへの漏水を高い精度で抑制することが可能となる。
【００１８】
請求項６に記載のコンクリート躯体の誘発目地構造によれば、誘発目地に止水シートと透水目地材の両者を組み合わせた止水機能が付与されるため、誘発目地にひび割れが生じた際にも、高い精度をもって水分の侵入を抑制することが可能となる。
また、コンクリート躯体の仕上げ面をタイル等の外壁仕上げ材による仕上げとする場合においても、伸縮調整目地と誘発目地との位置あわせを行う必要がないため、作業の繁雑さを解消することが可能となる。
【００１９】
また、前記止水シートが、誘発目地のみでなく、近傍の広い範囲にわたって備えられているため、誘発目地にひび割れが生じず、その発生位置が多少変化しても、ひび割れからの水分の侵入を抑制することが可能となる。
さらに、前記止水シートが伸縮に係る変形性能を有しているため、コンクリート躯体の仕上げ面に発生したひび割れにも追従でき、確実に漏水を防止することが可能となるとともに、ひずみの吸収層となり、壁面下地材及び外壁仕上げ材の剥落防止を図ることが可能となる。
【００２０】
請求項７に記載のコンクリート躯体の誘発目地構造の形成方法によれば、コンクリート打込み型枠の、前記所望の箇所に接する位置に、前記誘発目地部材を固定した後、コンクリート躯体を構成するコンクリートを打設するのみでよく、シーリング材の後施工が不要となるため、作業性が良く工費削減、工期短縮に大きく寄与することが可能となる。
【発明を実施するための最良の形態】
【００２１】
以下、本発明に係る誘発目地部材、コンクリート躯体の誘発目地構造、及びその形成方法について、図１から図５に基いて説明する。本発明の誘発目地部材は、壁面下地材、止水シート、及び透水目地材が一体に備えられていることから、該誘発目地部材をコンクリート打込み型枠の所望位置に配置し、コンクリートを打設するのみで、仕上げ面の所望位置に誘発目地、誘発目地への止水構造、及びコンクリート躯体の仕上げ面と一体となった壁面下地材を構築できるものである。
【００２２】
図１に示すように、コンクリート躯体５の仕上げ面には、所望の位置に誘発目地構造が形成されている。該誘発目地構造は、コンクリート躯体５の仕上げ面に生じやすいひび割れを集中誘発するために形成した誘発目地６と、該誘発目地部６に備えた誘発目地部材１により構成されている。
【００２３】
該誘発目地部材１は、壁面下地材２と、止水シート３と、透水目地材４により構成されており、該壁面下地材２は、その表面がコンクリート躯体５の仕上げ面と略同一平面を形成するように配置されているもので、本実施の形態では、滑らかに連続するように成形されている。これら壁面下地材２は、コンクリート躯体５を構成しているコンクリートに物性の近い硬質面材により構成されており、本実施の形態では、コンクリートに物性が近く安価な押し出し成形セメント板を用いている。しかし、必ずしもこれにこだわるものではなく、セメント系、金属系、樹脂系、ゴム系等、適宜適切な材料を用いればよい。
【００２４】
また、前記止水シート３は、該壁面下地材２の裏面全面に、一方の面を面どうしを接するようにして固着手段を介して固着されている。該止水シート３は、図１に示すように、他方の面と前記コンクリート躯体５とが面どうしで接するように配置されており、壁面下地材２側から漏水等があった際にも、コンクリート躯体５に漏水が達することのないよう止水するものである。また、該止水シート３は、誘発目地６近傍に発生するひび割れに追従できる面内方向の伸縮に係る変形能力を有している。このため、コンクリート躯体５の仕上げ面にひび割れが発生した際にも、確実に漏水を防止することが可能となるとともに、該止水シート３が、ひずみの吸収層となって、前記壁面下地材２や、後に壁面下地材２に固着される外壁仕上げ材の剥落を防止できるものである。
【００２５】
さらに、透水目地材４は、該止水シート３の他方の面に固定手段を介して固定されているとともに、コンクリート躯体５に形成された前記誘発目地６に嵌合されている。該透水目地材４は、図１に示すように、前記誘発目地６に嵌合する断面形状を有する棒状に成形されており、透水性を有するとともに、自身の表面に付着した水分を毛細管現象により内方に取り込むような、吸収性能をも有する部材により構成されている。
本実施の形態では、これら透水目地材４に連続発泡体あるいは無機繊維材を用いているが、必ずしもこれにこだわるものではなく、上述する性能を有する材料であれば、発泡ポリエチレン、発泡ポリスチレン、発泡フェノール、ガラス繊維、ロックウール等何れの材料を用いても良い。このような透水目地材４を誘発目地６に配置する構成は、いずれかの現象により止水シート３で抑止できなかった漏水が、誘発目地６に発生するひび割れに侵入することを防止するものである。
【００２６】
なお、該透水目地材４は、必ずしも上述する構成に限るものではなく、例えば、図４に示すように、筒形状の排水ドレン４ａを用いるとともに、該排水ドレン４ａの外周面を覆うようにして、表面に付着した水分を毛細管現象で吸収できるガラスクロス等の吸水材４ｂを配置する構成とし、吸水材４ｂで吸水した水分を排水ドレン４ａを介して排水する構成としても良い。
【００２７】
上述する構成の壁面下地材２、止水シート３、及び透水目地材４を一体的に備えている誘発目地部材１を誘発目地６に備えるコンクリート躯体５の誘発目地構造は、誘発目地６に対して、止水シート３と透水目地材４の両者を組み合わせた止水機能が付与されることとなるため、誘発目地６にひび割れが生じた際にも、高い精度をもって水分の侵入を抑制できるものである。
また、誘発目地６を壁面下地材２で覆うことができるため、コンクリート躯体５の仕上げ面をタイル等外壁仕上げ材による仕上げとする場合においても、伸縮調整目地と誘発目地６との位置あわせを行う必要がないため、作業の繁雑さを解消できるものである。
さらに、前記止水シート３が、誘発目地６のみでなく、誘発目地６近傍の広い範囲にわたって備えられているため、誘発目地部６にひび割れが生じず、その発生位置が多少変化しても、ひび割れからの水分の侵入を止水シート３により抑制できる。
【００２８】
これらコンクリート躯体５の誘発目地構造の形成方法は、図５（ａ）に示すように、まず、あらかじめ組み立てたコンクリート打込み型枠７の内方で、コンクリート躯体５の仕上げ面が形成される面の所望位置に、前記誘発目地部材１を図示しない仮留め手段を介して仮留めする。このとき、誘発目地部材１は、前記壁面下地材２の表面をコンクリート打込み型枠７の内面に当接させるとともに、透水目地材４が鉛直方向に延在するように配置する。
次に、図５（ｂ）に示すように、必要に応じて図示しない配筋を行い、コンクリート打込み型枠７の内方にコンクリート８を打設する。コンクリート８の硬化後、コンクリート打込み型枠７を脱型すると同時に、誘発目地部材１とコンクリート打込み型枠７との間に設けられている仮留め手段を開放する。
これにより、透水目地材４を嵌合するように誘発目地６が形成されるとともに、前記止水シート３の裏面にコンクリート躯体５が当接され、壁面下地材２の表面がコンクリート躯体５の仕上げ面と滑らかに連続するように誘発目地部材１が備えられた誘発目地構造が、コンクリート躯体５に形成されるものである。
【００２９】
このような方法によれば、コンクリート打込み型枠７の、前記所望の箇所に接する位置に、前記誘発目地部材１を固定した後、コンクリート躯体５を構成するコンクリート８を打設するのみでコンクリート躯体５の誘発目地構造を形成でき、従来行われていたような、シーリング材の後施工等が不要となるため、作業性を向上できるものである。
【００３０】
ところで、前記誘発目地部材１を構成する止水シート３は、先にも述べたように、他方の面が前記コンクリート躯体５に直に接することで止水面を形成している。このため、止水性能を向上することを目的に、本実施の形態では、止水シート３に前記コンクリート８との付着性能が高い非加硫ブチルゴムを適用している。
【００３１】
これにより、コンクリート躯体５に誘発目地構造を形成する際に、止水シート３に前記コンクリート８が効率よく付着するため、コンクリート８の硬化後、コンクリート躯体５と止水シート３との間には、密な接面が形成できることとなる。
なお、止水シート３に用いる部材は必ずしもこれにこだわるものではなく、前記コンクリート８との付着性と、面内方向の伸縮に係る高い変形能力を有していれば、塩化ビニルゴム、シリコンゴム及び再生ゴムなど、何れの部材を用いる構成としても良い。また、コンクリート躯体５に発生するひび割れは、該止水シート３にゼロスパンテンションで作用するため、変形能力を十分確保できる部材厚を確保する必要があり、該止水シート３の部材厚は、適用する部材の伸び部物性に応じて異なるが、0.5〜２mm程度が好ましい。
【００３２】
また、前記誘発目地部材１により、コンクリート躯体５の仕上げ面に一体的に形成できる壁面下地材２は、コンクリート躯体５の仕上げ方法に応じて、その部材や表面の成形を決定すればよい。
図１に示すように、表面が滑らかな押し出し成形セメント板により構成されている壁面下地材２は、外見上は誘発目地６を有しない、他のコンクリート躯体５の仕上げ面と比較しても遜色がないことから、コンクリート躯体５の仕上げ面を打放し仕上げ、または塗装仕上げとしたい場合に有効である。
【００３３】
一方、コンクリート躯体５の仕上げ面に、左官仕上げ、またはタイル等の外壁仕上げ材を用いたい場合には、図２に示すように、前記壁面下地材２の表面に粗面が形成されたものを用いればよい。なお、コンクリート躯体５の仕上げ面に外壁仕上げ材を用いたい場合には、壁面下地材２に代わり、図３に示すように、外壁仕上げ材をコンクリート躯体５仕上げ面に安定して定着させる際に最適な、後張り下地材９を用いてもよい。
【００３４】
本実施の形態では、該後張り下地材９に、一例として不織布を備えたものを用いている。該不織布は、短繊維または長繊維相互を接着、もしくはニードリングして製作される立体状の繊維層である。該不織布は、裏面がコンクリート躯体５に埋設されて一体化されるとともに、表面に外装仕上げ材を固定するためのモルタル等の接着剤１０が塗布され、該接着剤１０を効率よく含浸してコンクリート躯体５の表面に、接着剤１０と後張り下地材９により構成される仕上げ層１１を形成するものである。該仕上げ層１１は投錨効果が備えられているため、コンクリート躯体５とタイル等の外壁仕上げ材とを強固に一体化することが可能となる。
また、前記コンクリート躯体５の仕上げ面上に形成された仕上げ層１１は、ひずみの吸収層ともなるため、外壁仕上げ材の剥落を防止できるものである。
【００３５】
なお、本実施の形態では、不織布よりなる壁面下地材２を誘発目地６近傍のみでなく、コンクリート躯体５の仕上げ面全面を覆うことのできる大きさに成形し、誘発目地６を形成する部位近傍にのみ止水シート３を配置する構成としている。しかし、その構成は必ずしもこれにこだわるものではなく、コンクリート躯体５の誘発目地６に前記透水目地材４が嵌合し、また誘発目地６近傍に止水シート３が備えられ、さらにコンクリート躯体５の仕上げ面に壁面下地材２が配置される構成であれば、何れの構成を用いても良い。
また、後張り下地材９についても、必ずしも上述するものにこだわるものではなく、外壁仕上げ材をコンクリート躯体５の仕上げ面に安定して定着させることのできる下地材であれば、何れを用いても良い。
【００３６】
上記した構成からなる誘発目地部材１によれば、壁面下地材２、止水シート３、及び透水目地材４が一体に備えられていることから、該誘発目地部材１をコンクリート打込み型枠７の所望位置に配置し、コンクリート８を打設するのみで、コンクリート躯体５に対して、仕上げ面の所望位置に誘発目地６、誘発目地６への止水構造、及び仕上げ面と一体となった壁面下地材２を構築できるため、簡略な構成で作業性が良く、施工性を向上することが可能となる。
【００３７】
また、壁面下地材２にコンクリート部材を用いることで、外見上は誘発目地６を有しない他のコンクリート躯体の仕上げ面と遜色がない仕上げ面を形成できるため、コンクリート躯体５の外壁を打放し仕上げ、または塗装仕上げとしたい場合にも、所望の位置に誘発目地６を形成することが可能となる。さらに、壁面下地材２の表面に粗面を形成すれば、コンクリート躯体５の外壁を左官仕上げ、またはタイルとしたい場合にも、所望の位置に誘発目地６を形成することが可能となる。
【００３８】
さらに、壁面下地材２に後張り下地材９を用いることで、後張り下地材９に安定して外壁仕上げ材を固定できるため、コンクリート躯体５と外壁仕上げ材とを容易に一体化することが可能となる。
【００３９】
一方、前記誘発目地部材１を備えたコンクリート躯体５の誘発目地構造によれば、誘発目地６に止水シート３と透水目地材４の両者を組み合わせた止水機能が付与されるため、誘発目地６にひび割れが生じた際にも、高い精度をもって水分の侵入を抑制することが可能となる。また、コンクリート躯体５の仕上げ面を外壁仕上げ材による仕上げとする場合においても、伸縮調整目地と誘発目地６との位置あわせを行う必要がないため、作業の繁雑さを解消することが可能となる。
【００４０】
また、前記止水シート３が、誘発目地６のみでなく、近傍の広い範囲にわたって備えられているため、誘発目地６にひび割れが生じず、その発生位置が多少変化しても、ひび割れからの水分の侵入を抑制することが可能となる。
さらに、前記止水シート３が伸縮に係る変形性能を有しているため、コンクリート躯体５の仕上げ面に発生したひび割れにも追従でき、確実に漏水を防止することが可能となるとともに、ひずみの吸収層となり、壁面下地材２及び外壁仕上げ材の剥落防止を図ることが可能となる。
【００４１】
これらコンクリート躯体５の誘発目地構造の形成方法によれば、コンクリート打込み型枠７の、前記所望の箇所に接する位置に、前記誘発目地部材１を固定した後、コンクリート躯体５を構成するコンクリート８を打設するのみでよく、シーリング材の後施工が不要となるため、作業性が良く工費削減、工期短縮に大きく寄与することが可能となる。
【００４２】
以上、本発明に係る誘発目地部材１、コンクリート躯体５の誘発目地構造、及びその形成方法に係る実施の形態について説明したが、本発明は上記した実施の形態に限定されるものではなく、その趣旨を逸脱しない範囲で適宜変更可能である。
【図面の簡単な説明】
【００４３】
【図１】本発明に係るコンクリート躯体の誘発目地構造を示す図である。
【図２】本発明に係るコンクリート躯体の誘発目地構造の他の事例を示す図である。
【図３】本発明に係る壁面下地材に後張り下地材を用いたコンクリート躯体の誘発目地構造を示す図である。
【図４】本発明に係る透水目地材の他の事例を示す図である。
【図５】本発明に係るコンクリート躯体の誘発目地構造の形成方法を示す図である。
【符号の説明】
【００４４】
１  誘発目地部材
２  壁面下地材
３  止水シート
４  透水目地材
５  コンクリート躯体
６  誘発目地
７  コンクリート打込み型枠
８  コンクリート
９  後張り下地材
１０  接着剤
１１  仕上げ層
【図１】
2005061178.tif 000003
【図２】
2005061178.tif 000004
【図３】
2005061178.tif 000005
【図４】
2005061178.tif 000006
【図５】
2005061178.tif 000007